(57)【要約】【課題】少量の材料で３缶を包装でき、訴求効果も期待できるマルチパックを提供する。【解決手段】３個の缶Ｃを寄せ合って包装するマルチパックにおいて、天面板１、底面板２、開立板３及び閉立板４を連設して、開立板３が両側方へ張り出し、開立板３の中間部分が開口したスリーブ９を形成し、天面板１及び底面板２の両側縁と、開立板３の開口の上下縁とに保持片６を連設すると共に、開立板３の外側縁及び開口の両側縁に押圧片７，８を連設し、スリーブ９の両端及び開立板３の開口から缶Ｃを挿入して、各缶Ｃの上下面に内側へ折り込んだ保持片６を係合させ、各缶Ｃの外周に内側へ折り曲げた押圧片７，８を弾力的に当接させる。【選択図】図４
2007137501.tif 000002
【特許請求の範囲】
【請求項１】
３個の缶を寄せ合って包装するマルチパックにおいて、天面板１、底面板２、開立板３及び閉立板４を連設して、開立板３が両側方へ張り出し、開立板３の中間部分が開口したスリーブ９を形成し、天面板１及び底面板２の両側縁と、開立板３の開口の上下縁とに保持片６を連設すると共に、開立板３の外側縁及び開口の両側縁に押圧片７，８を連設し、スリーブ９の両端及び開立板３の開口から缶を挿入して、各缶の上下面に内側へ折り込んだ保持片６を係合させ、各缶の外周に内側へ折り曲げた押圧片７，８を弾力的に当接させる３缶用マルチパック。
【発明の詳細な説明】
【技術分野】
【０００１】
この発明は、３個の缶を寄せ合って包装する紙製マルチパックに関するものである。
【背景技術】
【０００２】
従来、下記特許文献１には、３個の缶を寄せ合って包装するマルチパックとして、六角形状の天面板及び底面板を有し、外周の各面に交互に開口部と閉立板とを設け、開口部の幅を缶の直径よりも小さく設定し、天面板と底面板の間に挟んだ各缶を、開口部から突出させた状態で、閉立板により保持するものが記載されている。
【０００３】
【特許文献１】実登３１１２８７７号公報
【発明の開示】
【発明が解決しようとする課題】
【０００４】
ところで、上記マルチパックは、直径に比べて背の低い食品等の缶の包装を想定したものであり、このような構成で背の高い飲料の缶を包装しようとすると、缶の直径よりも幅が広い閉立板を背を高くして３枚設ける必要があることから、用紙の使用量が増大してコストがかかるほか、缶の露出が少なく、訴求効果が得られにくいという問題もある。
【０００５】
そこで、この発明は、少量の材料で３缶を包装でき、訴求効果も期待できるマルチパックを提供しようとするものである。
【課題を解決するための手段】
【０００６】
上記課題を解決するため、この発明は、３個の缶を寄せ合って包装するマルチパックにおいて、天面板、底面板、開立板及び閉立板を連設して、開立板が両側方へ張り出し、開立板の中間部分が開口したスリーブを形成し、天面板及び底面板の両側縁と、開立板の開口の上下縁とに保持片を連設すると共に、開立板の外側縁及び開口の両側縁に押圧片を連設し、スリーブの両端及び開立板の開口から缶を挿入して、各缶の上下面に内側へ折り込んだ保持片を係合させ、各缶の外周に内側へ折り曲げた押圧片を弾力的に当接させることとしたのである。
【発明の効果】
【０００７】
このようなマルチパックでは、スリーブの高さ方向の構造材が対向する開立板と閉立板のみであり、隣り合う２個の缶に接する閉立板の幅を２個の缶の半径の和、すなわち１個の缶の直径と同程度に設定でき、天面板及び底面板を、３個の缶の上下面を半分ずつ覆い開立板が繋がる最小限の面積に設定できるので、材料の使用量を抑制でき、包装コストを削減することができる。
【０００８】
また、３個の缶を寄せ合って保持する珍しい形態であり、缶がスリーブから大きく露出するので、缶自体のデザインにより高い訴求効果が得られ、開立板やその両側の押圧片を利用して、各缶ごとに特徴を表示することもできる。
【発明を実施するための最良の形態】
【０００９】
以下、この発明の実施形態を添付図面に基づいて説明する。
【００１０】
このマルチパックの段ボール製ブランクでは、図１に示すように、天面板１及び底面板２が対向するＴ字状とされている。天面板１の長い端縁に開立板３が連設され、天面板１と底面板２の短い端縁が閉立板４を介して繋がれている。開立板３の中間部分は、上下にわたって開口し、開立板３の下端には貼着板５が連設されている。
【００１１】
天面板１及び底面板２の狭幅部分の両側縁と、開立板３の開口の上下縁には、半円形の保持片６が連設されている。開立板３の外側縁には長い押圧片７が連設され、開口の両側縁には短い押圧片８が連設されている。
【００１２】
このマルチパックの製造に際しては、図２に示すように、ブランクを２箇所で１８０°折り曲げて、底面板２と貼着板５とを貼り合わせる。この作業は、機械により簡単に行うことができる。この扁平な折畳状態では、嵩張ることなく、マルチパックを飲料メーカーや小売店に効率的に配送することができる。
【００１３】
そして、３個の缶を包装する際には、図３に示すように、開立板３及び閉立板４を起立させて、スリーブ９を形成し、図４乃至図６に示すように、スリーブ９の両端及び開立板３の開口から缶Ｃを挿入して、各缶Ｃの上下面に内側へ折り込んだ保持片６を係合させ、各缶Ｃの外周に内側へ折り曲げた押圧片７，８を弾力的に当接させる。
【００１４】
このとき、３個の缶Ｃは、保持片６により開口から抜け止めされると共に、スリーブ９の両端の開口から挿入した缶Ｃは、押圧片７により閉立板４側へ寄せられて、がたつくことなく保持され、開立板３の開口から挿入した缶Ｃは、押圧片８により挟持されて、がたつくことなく保持される。
【００１５】
このようなマルチパックでは、スリーブ９の高さ方向の構造材が対向する開立板３と閉立板４のみであり、隣り合う２個の缶Ｃに接する閉立板４の幅を２個の缶Ｃの半径の和、すなわち１個の缶Ｃの直径と同程度に設定でき、天面板１及び底面板２を、３個の缶Ｃの上下面を半分ずつ覆い開立板３が繋がる最小限の面積に設定できるので、材料の使用量を抑制でき、包装コストを削減することができる。
【００１６】
また、３個の缶Ｃを寄せ合って保持する珍しい形態であり、缶Ｃがスリーブ９から大きく露出するので、缶Ｃ自体のデザインにより高い訴求効果が得られ、開立板３やその両側の押圧片７を利用して、各缶Ｃごとに特徴を表示することもできる。
【００１７】
なお、この実施形態では、底面板２に貼着板５を貼り付けてスリーブ９を形成したが、差込片を穴に差し込んでロックする構造や、テープ等の接合部材を用いる構造等、他の接合構造を採用してもよい。
【００１８】
また、押圧片７を、両方の開立板３の外側縁に連設したが、さらに長い押圧片７を、一方の開立板３の外側縁にのみ連設し、スリーブ９の両端から挿入される缶Ｃと、開立板３の開口から挿入される缶Ｃとの間に挟み込むようにしてもよい。
【図面の簡単な説明】
【００１９】
【図１】この発明の実施形態に係る３缶用マルチパックのブランクを示す図
【図２】同上の折畳状態を示す図
【図３】同上の組立過程を示す斜視図
【図４】同上の使用状態を示す斜視図
【図５】同上の縦断正面図
【図６】同上の横断平面図
【符号の説明】
【００２０】
１  天面板
２  底面板
３  開立板
４  閉立板
５  貼着板
６  保持片
７，８  押圧片
９  スリーブ
【図１】
2007137501.tif 000003
【図２】
2007137501.tif 000004
【図３】
2007137501.tif 000005
【図４】
2007137501.tif 000006
【図５】
2007137501.tif 000007
【図６】
2007137501.tif 000008